(57)【要約】【課題】ガードインターバル長が有効シンボル長の１／４のＯＦＤＭ信号を受信する場合、最大でガードインターバル長の遅延量又は先行量の妨害波が混入してしまう場合でも、シンボル間干渉が生じない位置にＦＦＴ窓を設定できるＯＦＤＭ受信装置を提供する。【解決手段】遅延情報検出部１６は、ガードインターバル長が有効シンボル長の１／４で、かつ、妨害波が遅延波であるか先行波であるかの判断がつかない場合、妨害波を遅延波と仮定した場合の遅延量と、妨害波を先行波と仮定した場合の先行量を計算し、前ゴースト・後ゴースト判定部１７は、遅延情報検出部１２に、妨害波を遅延波と判定した場合には遅延情報検出部１６による遅延量情報を転送し、妨害波を先行波と判定した場合には遅延情報検出部１６による先行量情報を転送する。【選択図】    図１
2004179816.tif 000002
【特許請求の範囲】
【請求項１】
受信したＯＦＤＭ信号をＦＦＴするＦＦＴ部と、該ＦＦＴ部の出力信号を復調する復調部と、該復調部の出力信号を復号する復号部を有するＯＦＤＭ受信装置であって、
妨害波を遅延波と仮定した場合の前記妨害波の遅延量と、前記妨害波を先行波と仮定した場合の前記妨害波の先行量を検出する遅延情報検出部と、前記妨害波が遅延波であるか先行波であるかを判定する前ゴースト・後ゴースト判定部と、該前ゴースト・後ゴースト判定部の判定結果に基づいてＦＦＴ窓の位置設定を行うＦＦＴ窓位置設定部を有することを特徴とするＯＦＤＭ受信装置。
【請求項２】
前記前ゴースト・後ゴースト判定部は、前記妨害波を遅延波と仮定した場合の前記妨害波の遅延量だけ前記ＯＦＤＭ信号を遅延させた信号と前記ＯＦＤＭ信号との相関値と、前記妨害波を先行波と仮定した場合の前記妨害波の先行量だけ前記ＯＦＤＭ信号を遅延させた信号と前記ＯＦＤＭ信号との相関値を比較し、前記妨害波が遅延波であるか先行波であるかを判定することを特徴とする請求項１記載のＯＦＤＭ受信装置。
【請求項３】
前記前ゴースト・後ゴースト判定部は、前記復調部から出力される所定の信号の、前記妨害波を遅延波と仮定してＦＦＴ窓の位置を設定した場合の劣化量と、前記妨害波を先行波と仮定してＦＦＴ窓の位置を設定した場合の劣化量を比較して、前記妨害波が遅延波であるか先行波であるかを判定することを特徴とする請求項１記載のＯＦＤＭ受信装置。
【請求項４】
前記前ゴースト・後ゴースト判定部は、前記復号部から出力される所定の信号の、前記妨害波を遅延波と仮定してＦＦＴ窓の位置を設定した場合の劣化量と、前記妨害波を先行波と仮定してＦＦＴ窓の位置を設定した場合の劣化量を比較して、前記妨害波が遅延波であるか先行波であるかを判定することを特徴とする請求項１記載のＯＦＤＭ受信装置。
【請求項５】
前記遅延情報検出部は、前記ＦＦＴ部から出力されるＳＰ信号のインパルス応答から、前記妨害波を遅延波と仮定した場合の前記妨害波の遅延量と、前記妨害波を先行波と仮定した場合の前記妨害波の先行量を検出することを特徴とする請求項１記載のＯＦＤＭ受信装置。
【発明の詳細な説明】
【０００１】
【発明の属する技術分野】
本発明は、地上波デジタル放送を受信する場合などに使用して好適なＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ：直交周波数分割多重）受信装置に関する。
【０００２】
【従来の技術】
図７は従来のＯＦＤＭ受信装置の一例の要部を示す回路図である。図７中、１は受信アンテナ、２はチューナ、３はＡ／Ｄ変換部、４は同期部、５はＦＦＴ（ｆａｓｔ  ｆｏｕｒｉｅｒ  ｔｒａｎｓｆｏｒｍ：高速フーリエ変換）部、６は復調部、７は復号部であり、受信アンテナ１で受信されてチューナ２で選局、周波数変換されたＯＦＤＭ信号は、Ａ／Ｄ変換部３でデジタル化され、同期部４で同期を確立され、ＦＦＴ部５でＦＦＴ処理され、復調部６で復調（同期復調、差動復調）され、復号部７で復号（ビタビ復号、リードソロモン復号など）される。
【０００３】
図８はＯＦＤＭ信号の構成を示す図である。ＯＦＤＭ信号のシンボルは、有効シンボルと、有効シンボルの後端部分の波形データを有効シンボルの先端前部に複写したガードインターバルとで構成されている。一般に、同期部４では、図９に示すように、受信信号と受信信号を１有効シンボル分遅延した信号との相関値を演算し、相関値を積分し、積分値が最大値になるタイミングをシンボルの境界として算出することで同期を確立し、ＦＦＴ部５では、相関値の積分値が最大となるタイミングをＦＦＴの開始タイミングとし、ＦＦＴ窓の位置が設定される。
【０００４】
地上波デジタル放送では、ＳＦＮ（ｓｉｎｇｌｅ  ｆｒｅｑｕｅｎｃｙ  ｎｅｔｗｏｒｋ）を構成する可能性があるため、ＯＦＤＭ受信装置は、希望波（直接波）に加えて、比較的遅延量の大きい妨害波（ゴースト波）を受信することになる。そこで、図９に示すようにしてＦＦＴ窓の位置を設定すると、図１０に示すように、ガードインターバル期間の範囲で遅延する妨害波（遅延波）と希望波との間ではシンボル間干渉を生ずることはないが、希望波に先行して到来した妨害波（先行波）と希望波との間ではシンボル間干渉を生じてしまい、著しく特性が劣化してしまうという問題点がある。
【０００５】
そこで、従来、例えば、受信信号に含まれているＳＰ（ｓｃａｔｔｅｒｅｄ  ｐｉｌｏｔ：分散パイロット）信号をＦＦＴした結果から伝送路の遅延情報を検出することにより妨害波が遅延波であるか先行波であるかを判定してＦＦＴ窓の位置を設定する方法が提案されている（例えば、特許文献１参照）。このＦＦＴ窓位置設定方法はＦＦＴされたＳＰ信号からインパルス応答を演算し、図１１Ａに示すように、妨害波が遅延波の場合には、有効シンボルの位置をＦＦＴ窓の位置とし、図１１Ｂに示すように、妨害波が先行波である場合には、先行波の有効シンボルの位置をＦＦＴ窓の位置とするというものである。
【０００６】
【特許文献１】
特開２００１―２９２１２５号公報
【０００７】
【発明が解決しようとする課題】
希望波の伝達関数をＨ（ｆ）とすると、τだけ遅延した波の伝達関数は、ｒ×ｅｘｐ（−ｊ２πｆτ）×Ｈ（ｆ）で表される。但し、ｒは遅延波の希望波に対する信号レベルである。ここで、説明を簡単にするために、希望波が振幅１、位相回転が０とすると、遅延波がある場合の伝達関数Ｈ（ｆ）は、１＋ｒ×ｅｘｐ（−ｊ２πｆτ）となる。これは、ＳＰ信号から求まる伝達関数が周期１／τの周期関数であることを示している。また、逆に、ＳＰ信号の周期から、伝送路の遅延の広がりを推定することができることを示している。
【０００８】
ここで、ＳＰ信号は、図１２に示すような配置で挿入されているので、３サブキャリア間隔で利用できる。この結果、遅延の広がりを１／（３ｆｃ）と推定できる。但し、ｆｃはサブキャリア間隔である。日本の地上波デジタル放送では、モード１の場合、ｆｃ＝３．９６８ＫＨｚであるから、遅延の広がりを８４μｓと推定でき、モード２の場合、ｆｃ＝１．９８４ＫＨｚであるから、遅延の広がりを１６８μｓと推定でき、モード３の場合、ｆｃ＝０．９９２ＫＨｚであるから、遅延の広がりを３３６μｓと推定できる。
【０００９】
このように、伝送路の遅延の広がりは、有効シンボル長の１／３であると推定することができるが、伝送路のインパルス応答が遅延の広がりの±１／２の範囲に存在していると仮定すると、ガードインターバル長が有効シンボル長の１／４の場合、遅延波と先行波との最大時間差は有効シンボル長の１／２となるので、図１１に示す従来のＦＦＴ窓位置設定方法では、妨害波のインパルス応答特性上の位置が有効シンボル長の±１／１２以上の範囲にあると、妨害波が遅延波であるか先行波であるかを判断することができず、ＦＦＴ窓の位置を決定することができないという問題点があった。
【００１０】
例えば、モード３の場合、図１３に示すように、±１６８μｓの範囲でＳＰ信号のインパルス応答を得ることができるが、妨害波のインパルス応答特性上の位置が図１３に示す位置Ｐにある場合には、妨害波が２００μｓの遅延波であるか、１３６μｓの先行波であるかを判断することができず、ＦＦＴ窓の位置を決定することができない。
【００１１】
本発明は、かかる点に鑑み、ガードインターバル長が有効シンボル長の１／４のＯＦＤＭ信号を受信する場合において、最大でガードインターバル分の遅延量又は先行量を有する妨害波が混入してしまう場合であっても、シンボル間干渉が生じない位置にＦＦＴ窓を設定することができるようにしたＯＦＤＭ受信装置を提供することを目的とする。
【００１２】
【課題を解決するための手段】
本発明は、受信したＯＦＤＭ信号をＦＦＴするＦＦＴ部と、該ＦＦＴ部の出力信号を復調する復調部と、該復調部の出力信号を復号する復号部を有するＯＦＤＭ受信装置であって、妨害波を遅延波と仮定した場合の前記妨害波の遅延量と、前記妨害波を先行波と仮定した場合の前記妨害波の先行量を検出する遅延情報検出部と、前記妨害波が遅延波であるか先行波であるかを判定する前ゴースト・後ゴースト判定部と、該前ゴースト・後ゴースト判定部の判定結果に基づいてＦＦＴ窓の位置設定を行うＦＦＴ窓位置設定部を有するというものである。
【００１３】
【発明の実施の形態】
以下、図１〜図６を参照して、本発明の第１実施形態〜第３実施形態について説明する。
【００１４】
（第１実施形態・・図１、図２）
図１は本発明の第１実施形態の要部を示す回路図である。図１中、８は受信アンテナ、９はチューナ、１０はＡ／Ｄ変換部、１１は同期部、１２はＦＦＴ窓位置設定部、１３はＦＦＴ部、１４は復調部、１５は復号部、１６は遅延情報検出部、１７は前ゴースト・後ゴースト判定部である。
【００１５】
本発明の第１実施形態では、受信アンテナ８で受信されてチューナ９で選局、周波数変換されたＯＦＤＭ信号は、Ａ／Ｄ変換部１０でデジタル化され、同期部１１で同期を確立され、ＦＦＴ窓位置設定部１２でＦＦＴ窓位置を設定され、ＦＦＴ部１３でＦＦＴされ、復調部１４で復調（同期復調、差動復調）され、復号部１５で復号（ビタビ復号、リードソロモン復号など）される。
【００１６】
遅延情報検出部１６は、ＦＦＴ部１３の出力信号からＳＰ信号を抜き出してインパルス応答を演算し、ガードインターバル長が有効シンボル長の１／４の場合において、妨害波のインパルス応答特性上の位置が有効シンボル長の±１／１２未満の範囲にある場合、又は、ガードインターバル長が有効シンボル長の１／８、１／１６、１／３２の場合には、妨害波の遅延量情報又は先行量情報をＦＦＴ窓位置設定部１２に転送し、ＦＦＴ窓位置設定部１２は、遅延情報検出部１６から与えられる妨害波の遅延量情報又は先行量情報に基づいて、シンボル間干渉を生じない位置にＦＦＴ窓を設定する。
【００１７】
これに対して、ガードインターバル長が有効シンボル長の１／４の場合において、妨害波のインパルス応答特性上の位置が有効シンボル長の±１／１２以上の範囲にある場合、すなわち、妨害波が遅延波であるか先行波であるかの判断がつかない場合には、遅延情報検出部１６は、妨害波を遅延波と仮定して計算した妨害波の遅延量と、妨害波を先行波と仮定して計算した妨害波の先行量を前ゴースト・後ゴースト判定部１７に転送する。
【００１８】
前ゴースト・後ゴースト判定部１７は、遅延情報検出部１６から与えられる妨害波の遅延量情報及び先行量情報から、妨害波が遅延波であるか先行波であるかを判定し、遅延情報検出部１６から与えられる妨害波の遅延量情報又は先行量情報をＦＦＴ窓位置設定部１２に転送し、ＦＦＴ窓位置設定部１２は、前ゴースト・後ゴースト判定部１７から与えられる妨害波の遅延量情報又は先行量情報に基づいて、シンボル間干渉を生じない位置にＦＦＴ窓を設定する。
【００１９】
図２は前ゴースト・後ゴースト判定部１７の構成を示す回路図である。図２中、１８は遅延情報検出部１６から与えられる妨害波の遅延量情報、すなわち、妨害波を遅延波と仮定して計算した遅延量（図１３の例では、２００μｓ）が同期部１１から与えられる受信信号を遅延させる遅延量として設定される可変遅延回路、１９は遅延情報検出部１６から与えられる妨害波の先行量情報、すなわち、妨害波を先行波と仮定して計算した先行量（図１３の例では、１３６μｓ）が同期部１１から与えられる受信信号を遅延させる遅延量として設定される可変遅延回路である。
【００２０】
２０は可変遅延回路１８の出力信号と同期部１１から与えられる受信信号との相関値を算出する相関回路、２１は可変遅延回路１９の出力信号と同期部１１から与えられる受信信号との相関値を算出する相関回路、２２は相関回路２０、２１から出力される相関値を比較する比較回路、２３は比較回路２２に制御されて遅延情報検出部１６から与えられる妨害波の遅延量情報又は先行量情報をＦＦＴ窓位置設定部１２に転送する選択回路である。
【００２１】
比較回路２２は、相関回路２０から出力される相関値が相関回路２１から出力される相関値よりも大きい場合には、遅延情報検出部１６から与えられる遅延量情報がＦＦＴ窓位置設定部１２に転送されるように、逆に、相関回路２１から出力される相関値が相関回路２０から出力される相関値よりも大きい場合には、遅延情報検出部１６から与えられる先行量情報がＦＦＴ窓位置設定部１２に転送されるように選択回路２３を制御する。
【００２２】
ここで、妨害波が遅延波である場合には、相関回路２０では、妨害波を遅延波と仮定して計算した遅延量だけ同期部１１から与えられる受信信号を遅延させた信号に含まれる希望波と、同期部１１から与えられる受信信号に含まれる妨害波との相関を取ることができる。これら２個の信号は、同一内容の信号であり、相関回路２０の入力端では同一タイミングとされているので、これら２個の信号には、一定の相関がある。
【００２３】
これに対して、相関回路２１では、妨害波が遅延波であるにも関わらず、妨害波を先行波と仮定して計算した先行量だけ同期部１１から与えられる受信信号を遅延させた信号と、同期部１１から与えられる受信信号との相関を取ることになるので、同一内容、かつ、同一タイミングの信号について相関が取られることはない。
【００２４】
したがって、妨害波が遅延波である場合には、相関回路２０から出力される相関値の方が相関回路２１から出力される相関値よりも大きくなるので、この場合には、選択回路２３は、遅延情報検出部１６から与えられる妨害波の遅延量情報をＦＦＴ窓位置設定部１２に転送し、ＦＦＴ窓位置設定部１２は、この情報に基づいて、シンボル間干渉を生じない位置にＦＦＴ窓を設定することになる。
【００２５】
また、妨害波が先行波である場合には、相関回路２１では、妨害波を先行波と仮定して計算した先行量だけ同期部１１から与えられる受信信号を遅延させた信号に含まれる妨害波と、同期部１１から与えられる受信信号に含まれる希望波との相関を取ることができる。これら２個の信号は、同一内容の信号であり、相関回路２１の入力端では同一タイミングとされているので、これら２個の信号には、一定の相関がある。
【００２６】
これに対して、相関回路２０では、妨害波が先行波であるにも関わらず、妨害波を遅延波と仮定して計算した遅延量だけ同期部１１から与えられる受信信号を遅延させた信号と、同期部１１から与えられる受信信号との相関を取ることになるので、同一内容、かつ、同一タイミングの信号について相関が取られることはない。
【００２７】
したがって、妨害波が先行波である場合には、相関回路２１から出力される相関値の方が相関回路２０から出力される相関値よりも大きくなるので、この場合には、選択回路２３は、遅延情報検出部１６から与えられる妨害波の先行量情報をＦＦＴ窓位置設定部１２に転送し、ＦＦＴ窓位置設定部１２は、この情報に基づいて、シンボル間干渉を生じない位置にＦＦＴ窓を設定することになる。
【００２８】
以上のように、本発明の第１実施形態によれば、遅延情報検出部１６は、ガードインターバル長が有効シンボル長の１／４の場合において、妨害波のインパルス応答特性上の位置が有効シンボル長の±１／１２以上の範囲にある場合、すなわち、妨害波が遅延波であるか先行波であるかの判断がつかない場合、妨害波を遅延波と仮定した場合に計算される遅延量と、妨害波を先行波と仮定した場合に計算される先行量を前ゴースト・後ゴースト判定部１７に転送するとしている。
【００２９】
そして、前ゴースト・後ゴースト判定部１７は、妨害波が遅延波であるか先行波であるかを判定し、妨害波が遅延波である場合には、遅延情報検出部１６から与えられる妨害波の遅延量情報をＦＦＴ窓位置設定部１２に転送し、妨害波が先行波である場合には、遅延情報検出部１６から与えられる妨害波の先行量情報をＦＦＴ窓位置設定部１２に転送するとしている。
【００３０】
したがって、本発明の第１実施形態によれば、ガードインターバル長が有効シンボル長の１／４のＯＦＤＭ信号を受信する場合において、最大でガードインターバル分の遅延量又は先行量を有する妨害波が混入してしまう場合であっても、シンボル間干渉が生じない位置にＦＦＴ窓を設定することができる。
【００３１】
なお、前ゴースト・後ゴースト判定回路１７が備える可変遅延回路１８、１９は、同期部１１が備える有効シンボル遅延回路（図示せず）と共用することができ、このようにする場合には、回路規模の縮小を図ることができる。また、インパルス応答を演算する際に、ＳＰ信号をダウンサンプルすることで、遅延情報検出部１６が備えるインパルス応答演算回路（図示せず）の回路規模の縮小を図ることができる。
【００３２】
（第２実施形態・・図３、図４）
図３は本発明の第２実施形態の要部を示す回路図である。本発明の第２実施形態は、図１に示す本発明の第１実施形態が備える前ゴースト・後ゴースト判定部１７と回路構成の異なる前ゴースト・後ゴースト判定部２４を設け、その他については、本発明の第１実施形態と同様に構成したものである。
【００３３】
図４は前ゴースト・後ゴースト判定部２４の構成を示す回路図である。図４中、２５は妨害波を遅延波と仮定してＦＦＴ窓位置を設定した場合の復調部１４の出力信号中の基準信号の劣化量を保持する基準信号劣化量保持回路、２６は妨害波を先行波と仮定してＦＦＴ窓位置を設定した場合の復調部１４の出力信号中の基準信号の劣化量を保持する基準信号劣化量保持回路である。
【００３４】
なお、基準信号としては、例えば、受信信号に含まれている既知の信号であるＡＣ（ａｕｘｉｌｉａｒｙ  ｃｈａｎｎｅｌ：付加的チャンネル）信号やＴＭＣＣ（ｔｒａｎｓｍｉｓｓｉｏｎ  ａｎｄ  ｍｕｌｔｉｐｌｅｘｉｎｇ  ｃｏｎｆｉｇｕｒａｔｉｏｎ  ｃｏｎｔｒｏｌ：伝送多重制御）信号やＳＰ信号を使用し、ＡＣ信号やＴＭＣＣ信号を基準信号とする場合には、その位相誤差を劣化量とし、ＳＰ信号を基準信号とする場合には、その振幅分散を劣化量とする。
【００３５】
２７は基準信号劣化量保持回路２５の保持値と基準信号劣化量保持回路２６の保持値とを比較する比較回路、２８は比較回路２７に制御され、遅延情報検出部１６から与えられる妨害波の遅延量情報又は先行量情報をＦＦＴ窓位置設定部１２に転送する選択回路、２９は基準信号劣化量保持回路２５、２６を制御する制御回路である。
【００３６】
比較回路２７は、基準信号劣化量保持回路２５の保持値が基準信号劣化量保持回路２６の保持値よりも小さい場合には、遅延情報検出部１６から与えられる遅延量情報がＦＦＴ窓位置設定部１２に転送されるように、逆に、基準信号劣化量保持回路２６の保持値が基準信号劣化量保持回路２５の保持値よりも小さい場合には、遅延情報検出部１６から与えられる先行量情報がＦＦＴ窓位置設定部１２に転送されるように選択回路２８を制御する。
【００３７】
本発明の第２実施形態では、遅延情報検出部１６は、ガードインターバル長が有効シンボル長の１／４の場合において、妨害波のインパルス応答特性上の位置が有効シンボル長の±１／１２未満の範囲にある場合、又は、ガードインターバル長が有効シンボル長の１／８、１／１６、１／３２の場合には、妨害波の遅延量情報又は先行量情報をＦＦＴ窓位置設定部１２に転送し、ＦＦＴ窓位置設定部１２は、遅延情報検出部１６から与えられる妨害波の遅延量情報又は先行量情報に基づいて、シンボル間干渉を生じない位置にＦＦＴ窓を設定する。
【００３８】
これに対して、ガードインターバル長が有効シンボル長の１／４の場合において、妨害波のインパルス応答特性上の位置が有効シンボル長の±１／１２以上の範囲にある場合、すなわち、妨害波が遅延波であるか先行波であるかの判断がつかない場合には、遅延情報検出部１６は、妨害波を遅延波と仮定して計算した遅延量と、妨害波を先行波と仮定して計算した先行量を前ゴースト・後ゴースト判定部２４に転送する。
【００３９】
この場合には、制御回路２９は、基準信号劣化量保持回路２５の出力値が基準信号劣化量保持回路２６の出力値よりも小さくなるように基準信号劣化量保持回路２５、２６を制御する。この結果、遅延情報検出部１６から与えられる妨害波を遅延波と仮定して計算した遅延量が選択回路２８を介してＦＦＴ窓位置設定部１２に転送され、ＦＦＴ窓位置設定部１２では、妨害波を遅延波と仮定してＦＦＴ窓の位置が設定される。そこで、制御回路２９は、この状況下で、復調部１４から出力される基準信号の劣化量を基準信号劣化量保持回路２５に保持させる。
【００４０】
次に、制御回路２９は、基準信号劣化量保持回路２６の出力値が基準信号劣化量保持回路２５の出力値よりも小さくなるように基準信号劣化量保持回路２５、２６を制御する。この結果、遅延情報検出部１６から与えられる妨害波を先行波と仮定して計算した遅延量が選択回路２８を介してＦＦＴ窓位置設定部１２に転送され、ＦＦＴ窓位置設定部１２では、妨害波を先行波と仮定してＦＦＴ窓の位置が設定される。そこで、制御回路２９は、この状況下で、復調部１４から出力される基準信号の劣化量を基準信号劣化量保持回路２６に保持させる。
【００４１】
ここで、妨害波が遅延波である場合において、妨害波を遅延波と仮定してＦＦＴ窓の位置を設定した場合には、シンボル間干渉は発生しないので、基準信号の劣化量は小さく、逆に、妨害波を先行波と仮定してＦＦＴ窓の位置を設定した場合には、シンボル間干渉が発生するので、基準信号の劣化量は大きくなる。
【００４２】
この結果、基準信号劣化量保持回路２５の保持値の方が基準信号劣化量保持回路２６の保持値よりも小さくなり、遅延情報検出部１６から与えられる遅延量情報がＦＦＴ窓位置設定部１２に転送され、ＦＦＴ窓位置設定部１２は、この情報に基づいて、シンボル間干渉を生じない位置にＦＦＴ窓を設定することになる。
【００４３】
これに対して、妨害波が先行波である場合において、妨害波を遅延波と仮定してＦＦＴ窓の位置を設定した場合には、シンボル間干渉が発生するので、基準信号の劣化量は大きくなり、逆に、妨害波を先行波と仮定してＦＦＴ窓の位置を設定した場合には、シンボル間干渉は発生しないので、基準信号の劣化量は小さいものとなる。
【００４４】
この結果、基準信号劣化量保持回路２６の保持値の方が基準信号劣化量保持回路２５の保持値よりも小さくなり、遅延情報検出部１６から与えられる先行量情報がＦＦＴ窓位置設定部１２に転送され、ＦＦＴ窓位置設定部１２は、この情報に基づいて、シンボル間干渉を生じない位置にＦＦＴ窓を設定することになる。
【００４５】
したがって、本発明の第２実施形態によれば、本発明の第１実施形態の場合と同様に、ガードインターバル長が有効シンボル長の１／４のＯＦＤＭ信号を受信する場合において、最大でガードインターバル分の遅延量又は先行量を有する妨害波が混入してしまう場合であっても、シンボル間干渉が生じない位置にＦＦＴ窓を設定することができる。
【００４６】
（第３実施形態・・図５、図６）
図５は本発明の第３実施形態の要部を示す回路図である。本発明の第３実施形態は、図１に示す本発明の第１実施形態が備える前ゴースト・後ゴースト判定部１７と回路構成の異なる前ゴースト・後ゴースト判定部３０を設け、その他については、本発明の第１実施形態と同様に構成したものである。
【００４７】
図６は前ゴースト・後ゴースト判定部３０の構成を示す回路図である。図６中、３１は妨害波を遅延波と仮定してＦＦＴ窓位置を設定した場合の復号部１５の出力信号中のＢＥＲ（ｂｉｔ  ｅｒｒｏｒ  ｒａｔｅ）を保持するＢＥＲ保持回路、３２は妨害波を先行波と仮定してＦＦＴ窓位置を設定した場合の復号部１５の出力信号中のＢＥＲを保持するＢＥＲ保持回路である。
【００４８】
なお、ＢＥＲとしては、例えば、受信信号を復調したコンスタレーションの送信点からの距離の時間平均や、ビタビ復号器の入力と、ビタビ復号器の出力を再度畳み込み符号化したものとを比較した結果の加算値などを使用することができる。
【００４９】
３３はＢＥＲ保持回路３１の保持値とＢＥＲ保持回路３２の保持値とを比較する比較回路、３４は比較回路３３に制御され、遅延情報検出部１６から与えられる妨害波の遅延量情報又は先行量情報をＦＦＴ窓位置設定部１２に転送する選択回路、３５はＢＥＲ保持回路３１、３２を制御する制御回路である。
【００５０】
比較回路３３は、ＢＥＲ保持回路３１の保持値がＢＥＲ保持回路３２の保持値よりも小さい場合には、遅延情報検出部１６から与えられる遅延量情報がＦＦＴ窓位置設定部１２に転送されるように、逆に、ＢＥＲ保持回路３２の保持値がＢＥＲ保持回路３１の保持値よりも小さい場合には、遅延情報検出部１６から与えられる先行量情報がＦＦＴ窓位置設定部１２に転送されるように選択回路３４を制御する。
【００５１】
本発明の第３実施形態では、遅延情報検出部１６は、ガードインターバル長が有効シンボル長の１／４の場合において、妨害波のインパルス応答特性上の位置が有効シンボル長の±１／１２未満の範囲にある場合、又は、ガードインターバル長が有効シンボル長の１／８、１／１６、１／３２の場合には、妨害波の遅延量情報又は先行量情報をＦＦＴ窓位置設定部１２に転送し、ＦＦＴ窓位置設定部１２は、遅延情報検出部１６から与えられる妨害波の遅延量情報又は先行量情報に基づいて、シンボル間干渉を生じない位置にＦＦＴ窓を設定する。
【００５２】
これに対して、ガードインターバル長が有効シンボル長の１／４の場合において、妨害波のインパルス応答特性上の位置が有効シンボル長の±１／１２以上の範囲にある場合、すなわち、妨害波が遅延波であるか先行波であるかの判断がつかない場合には、遅延情報検出部１６は、妨害波を遅延波と仮定して計算した遅延量と、妨害波を先行波と仮定して計算した先行量を前ゴースト・後ゴースト判定部３０に転送する。
【００５３】
この場合には、制御回路３５は、ＢＥＲ保持回路３１の出力値がＢＥＲ保持回路３２の出力値よりも小さくなるようにＢＥＲ保持回路３１、３２を制御する。この結果、遅延情報検出部１６から与えられる妨害波を遅延波と仮定して計算した遅延量が選択回路３４を介してＦＦＴ窓位置設定部１２に転送され、ＦＦＴ窓位置設定部１２では、妨害波を遅延波と仮定してＦＦＴ窓の位置が設定される。そこで、制御回路３５は、この状況下で、復号部１５から出力されるＢＥＲをＢＥＲ保持回路３１に保持させる。
【００５４】
次に、制御回路３５は、ＢＥＲ保持回路３２の出力値がＢＥＲ保持回路３１の出力値よりも小さくなるようにＢＥＲ保持回路３１、３２を制御する。この結果、遅延情報検出部１６から与えられる妨害波を先行波と仮定して計算した先行量が選択回路３４を介してＦＦＴ窓位置設定部１２に転送され、ＦＦＴ窓位置設定部１２では、妨害波を遅延波と仮定してＦＦＴ窓の位置が設定される。そこで、制御回路３５は、この状況下で、復号部１５から出力されるＢＥＲをＢＥＲ保持回路３２に保持させる。
【００５５】
ここで、妨害波が遅延波である場合において、妨害波を遅延波と仮定してＦＦＴ窓位置を設定した場合には、シンボル間干渉は発生しないので、ＢＥＲは小さく、逆に、妨害波を先行波と仮定してＦＦＴ窓位置を設定した場合には、シンボル間干渉が発生するので、ＢＥＲは大きくなる。
【００５６】
この結果、ＢＥＲ保持回路３１の保持値の方がＢＥＲ保持回路３２の保持値よりも小さくなり、遅延情報検出部１６から与えられる遅延量情報がＦＦＴ窓位置設定部１２に転送され、ＦＦＴ窓位置設定部１２は、この情報に基づいて、シンボル間干渉を生じない位置にＦＦＴ窓を設定することになる。
【００５７】
これに対して、妨害波が先行波である場合において、妨害波を遅延波と仮定してＦＦＴ窓位置を設定した場合には、シンボル間干渉が発生するので、ＢＥＲは大きくなり、逆に、妨害波を先行波と仮定してＦＦＴ窓位置を設定した場合には、シンボル間干渉は発生しないので、ＢＥＲは小さいものとなる。
【００５８】
この結果、ＢＥＲ保持回路３２の保持値の方がＢＥＲ保持回路３１の保持値よりも小さくなり、遅延情報検出部１６から与えられる先行量情報がＦＦＴ窓位置設定部１２に転送され、ＦＦＴ窓位置設定部１２は、この情報に基づいて、シンボル間干渉を生じない位置にＦＦＴ窓を設定することになる。
【００５９】
したがって、本発明の第３実施形態によれば、本発明の第１実施形態の場合と同様に、ガードインターバル長が有効シンボル長の１／４のＯＦＤＭ信号を受信する場合において、最大でガードインターバル分の遅延量又は先行量を有する妨害波が混入してしまう場合であっても、シンボル間干渉が生じない位置にＦＦＴ窓を設定することができる。
【００６０】
【発明の効果】
以上のように、本発明によれば、妨害波を遅延波と仮定した場合の妨害波の遅延量と、妨害波を先行波と仮定した場合の妨害波の先行量を検出する遅延情報検出部と、妨害波が遅延波であるか先行波であるかを判定する前ゴースト・後ゴースト判定部と、前ゴースト・後ゴースト判定部の判定結果に基づいてＦＦＴ窓の位置設定を行うＦＦＴ窓位置設定部を有するので、ガードインターバル長が有効シンボル長の１／４のＯＦＤＭ信号を受信する場合において、最大でガードインターバル分の遅延量又は先行量を有する妨害波が混入してしまう場合であっても、シンボル間干渉が生じない位置にＦＦＴ窓を設定することができる。
【図面の簡単な説明】
【図１】本発明の第１実施形態の要部を示す回路図である。
【図２】本発明の第１実施形態が備える前ゴースト・後ゴースト判定回路の構成を示す回路図である。
【図３】本発明の第２実施形態の要部を示す回路図である。
【図４】本発明の第２実施形態が備える前ゴースト・後ゴースト判定回路の構成を示す回路図である。
【図５】本発明の第３実施形態の要部を示す回路図である。
【図６】本発明の第３実施形態が備える前ゴースト・後ゴースト判定回路の構成を示す回路図である。
【図７】従来のＯＦＤＭ受信装置の一例の要部を示す回路図である。
【図８】ＯＦＤＭ信号の構成を示す図である。
【図９】従来のＦＦＴ窓位置設定方法の一例を説明するための図である。
【図１０】図９に示す従来のＦＦＴ窓位置設定方法が有する問題点を説明するための図である。
【図１１】従来のＦＦＴ窓位置設定方法の他の例を説明するための図である。
【図１２】ＳＰ信号の配置位置を示す図である。
【図１３】図１１に示す従来のＦＦＴ窓位置設定方法が有する問題点を説明するための図である。
【符号の説明】
１、８…受信アンテナ
２、９…チューナ
３、１０…Ａ／Ｄ変換部
４、１１…同期部
５、１３…ＦＦＴ部
６、１４…復調部
７、１５…復号部
１２…ＦＦＴ窓位置設定部
１６…遅延情報検出部
１７、２４、３０…前ゴースト・後ゴースト判定部
１８、１９…可変遅延回路
２０、２１…相関回路
２２、２７、３３…比較回路
２３、２８、３４…選択回路
２５、２６…基準信号劣化量保持回路
２９、３５…制御回路
３１、３２…ＢＥＲ保持回路
【図１】
2004179816.tif 000003
【図２】
2004179816.tif 000004
【図３】
2004179816.tif 000005
【図４】
2004179816.tif 000006
【図５】
2004179816.tif 000007
【図６】
2004179816.tif 000008
【図７】
2004179816.tif 000009
【図８】
2004179816.tif 000010
【図９】
2004179816.tif 000011
【図１０】
2004179816.tif 000012
【図１１】
2004179816.tif 000013
【図１２】
2004179816.tif 000014
【図１３】
2004179816.tif 000015